(57)【特許請求の範囲】
【請求項１】
上面を開口した収納部を内部に形成する本体部と、前記収納部の上面を開閉する蓋部と、前記収納部内に収納して出し入れされるとともに上端部に取っ手を設けた内ケースと、前記収納部内を冷却する冷却器とを備えたゴミ収容器において、前記収納部の上端に環状の段差部を設けるとともに、前記内ケースの上端部に外側に突出する環状の鍔部と前記鍔部の周部から上方に突出する補強部とを設け、前記内ケースが前記収納部の底面から離れた状態で前記鍔部を前記段差部上に載置して収納され、
前記取っ手が前記補強部に軸支される一対の脚部と前記脚部間を連結する把持部とを有して、前記補強部の内側で前記鍔部上に配される収納位置と前記鍔部に対して起立する把持位置との間を回動し、
前記把持部が前記収納位置で前記鍔部に面した凹部を有し、前記把持部の前記凹部が形成される箇所は、前記把持部の他の箇所よりも幅が狭くなっていることを特徴とするゴミ収容器。
【請求項２】
前記把持部は、前記収納位置で前記補強部の上方に突出し、前記収納位置で前記補強部よりも上方から水平方向に突出する突起部を有することを特徴とする請求項１に記載のゴミ収容器。
【請求項３】
前記内ケースの水平断面が略矩形に形成され、前記取っ手の回動軸が前記内ケースの水平断面の長手方向に平行であることを特徴とする請求項１または請求項２に記載のゴミ収容器。
【請求項４】
前記取っ手が一対設けられて前記把持位置で一体に把持されるとともに、相互に反対方向に回動して前記収納位置に配されることを特徴とする請求項１〜請求項３のいずれかに記載のゴミ収容器。
【発明の詳細な説明】
【技術分野】
【０００１】
本発明は、廃棄物を冷却して収容するゴミ収容器に関する。
【背景技術】
【０００２】
冷却機能を有した従来の生ごみ収納庫は特許文献１に開示される。この生ごみ収納庫は上面に開口部が開口した収納部を有し、開口部を開閉自在にする蓋部が設けられる。収納部の下方には冷凍ユニットが配され、冷凍ユニットに接続される冷媒管が収納部の周囲に配される。
【０００３】
収納部内に生ゴミや衛生ゴミ等の廃棄物を収容し、冷凍ユニットの駆動によって収納部が冷凍温度に冷却される。これにより、廃棄物の腐敗の進行や異臭の発生を防止することができる。ゴミ回収日等の所定の時期になると、収納部内から廃棄物を取り出して廃棄される。
【０００４】
また、特許文献２には本体容器内に内容器を設けた生ごみ保管容器が開示される。廃棄物は内容器内に収容され、本体容器と内容器との間に空気層が形成されることで、空気の循環が有効になされる。
【先行技術文献】
【特許文献】
【０００５】
【特許文献１】特開平３−１２５８５９号公報
【特許文献２】特開平７−３１５５０４号公報
【発明の概要】
【発明が解決しようとする課題】
【０００６】
上記特許文献１に開示される生ごみ収納庫は廃棄のために収納部から取り出される廃棄物が使用者の手に触れるため不衛生である。また、特許文献２に開示されるように内容器を設けた場合も、内容器内のごみを衛生的に廃棄することについては不十分である。
【０００７】
また、冷却される収納部（本体容器）内に内容器を設けると、蓋を開けたときなどに収納部の内壁と内容器の外壁との間に外気の湿気が流入する。この湿気が結露して廃棄物の臭気成分を含む結露水が収納部内に溜まる。従って、収納部内や内容器の外壁の結露水を拭き取る作業を必要とするため利便性が悪くなるとともに、結露水を拭き取る際に臭気成分を含む結露水が使用者の手指に触れる場合があるため不衛生である問題があった。
【０００８】
本発明は、衛生的で利便性を向上できるゴミ収容器を提供することを目的とする。
【課題を解決するための手段】
【０００９】
上記目的を達成するために本発明は、上面を開口した収納部を内部に形成する本体部と、前記収納部の上面を開閉する蓋部と、前記収納部内に収納して出し入れされる内ケースと、前記収納部内を冷却する冷却器とを備えたゴミ収容器において、前記収納部の上端に環状の段差部を設けるとともに前記内ケースの上端部に外側に突出する環状の鍔部を設け、前記内ケースが前記収納部の底面から離れた状態で前記鍔部を前記段差部上に載置して収納されることを特徴としている。
【００１０】
この構成によると、冷却器により冷却される収納部の段差部上に鍔部を載置して内ケースが収納部の底面から離れて収納され、内ケース内に廃棄物が収容される。内ケースの鍔部が収納部の段差部に環状に当接することで収納部の内壁と内ケースとの間の空間は隔絶され、該空間への外気流入が抑制される。
【００１１】
また本発明は、上記構成のゴミ収容器において、前記内ケースが前記鍔部の周部から上方に突出する補強部と、前記内ケースの上端部に軸支される取っ手とを有し、前記取っ手が前記補強部の内側で前記鍔部上に配される収納位置と前記鍔部に対して起立する把持位置との間を回動することを特徴としている。
【００１２】
また本発明は、上記構成のゴミ収容器において、前記鍔部が前記内ケースの上端に対して下方に所定量離れて設けられることを特徴としている。
【００１３】
また本発明は、上記構成のゴミ収容器において、前記取っ手が前記収納位置で前記補強部よりも上方に突出することを特徴としている。
【００１４】
また本発明は、上記構成のゴミ収容器において、前記取っ手が前記収納位置で前記補強部よりも上方から水平方向に突出する突起部を有することを特徴としている。
【００１５】
また本発明は、上記構成のゴミ収容器において、前記内ケースの水平断面が略矩形に形成され、前記取っ手の回動軸が前記内ケースの水平断面の長手方向に平行であることを特徴としている。
【００１６】
また本発明は、上記構成のゴミ収容器において、前記取っ手が前記内ケースに支持される一対の脚部と前記脚部間を連結する把持部とを有し、前記把持部が前記収納位置で前記鍔部に面した凹部を有することを特徴としている。
【００１７】
また本発明は、上記構成のゴミ収容器において、前記取っ手が一対設けられて前記把持位置で一体に把持されるとともに、相互に反対方向に回動して前記収納位置に配されることを特徴としている。
【００１８】
また本発明は、上記構成のゴミ収容器において、前記本体部の上面は前方が下がる傾斜面に形成され、前記内ケースの上方にエアカーテンが形成されることを特徴としている。
【００１９】
また本発明は、上記構成のゴミ収容器において、前記冷却器により前記収納部内を冷蔵温度に冷却することを特徴としている。
【００２０】
また本発明は、上記構成のゴミ収容器において、前記段差部の上面または前記鍔部の下面にパッキンを設けたことを特徴としている。
【発明の効果】
【００２１】
本発明によると、収納部の底面から内ケースが離れた状態で内ケースの上端部に設けた環状の鍔部が収納部の上端に設けた環状の段差部上に載置される。これにより、収納部の内壁と内ケースとの間の空間が隔絶され、該空間への外気流入を抑制して収納部内の結露水の発生が低減される。また、もしも収納部の内壁と内ケースとの間の空間に結露水が溜まっても、内ケースの下面に対する結露水の付着が防止される。従って、内ケースを取り出した際に結露水が室内に滴下することを防ぎ、ゴミ収容器を衛生的に使用できるとともにゴミ収容器の利便性を向上することができる。
【図面の簡単な説明】
【００２２】
【図１】本発明の第１実施形態のゴミ収容器を示す斜視図
【図２】本発明の第１実施形態のゴミ収容器を示す側面断面図
【図３】本発明の第１実施形態のゴミ収容器の蓋部を示す斜視図
【図４】本発明の第１実施形態のゴミ収容器の本体部を示す斜視図
【図５】本発明の第１実施形態のゴミ収容器の循環ダクトの背壁部を示す斜視図
【図６】本発明の第１実施形態のゴミ収容器の取っ手を把持位置に配した内ケースを示す斜視図
【図７】本発明の第１実施形態のゴミ収容器の取っ手を収納位置に配した内ケースを示す斜視図
【図８】本発明の第１実施形態のゴミ収容器の内ケースを出し入れする状態を示す斜視図
【図９】本発明の第１実施形態のゴミ収容器の内ケースの上部を示す側面断面図
【図１０】本発明の第２実施形態のゴミ収容器の本体部の上端部を示す側面断面図
【図１１】本発明の第３実施形態のゴミ収容器の内ケースを示す斜視図
【発明を実施するための形態】
【００２３】
＜第１実施形態＞
以下に図面を参照して本発明の実施形態を説明する。図１は第１実施形態のゴミ収容器の斜視図を示している。ゴミ収容器１は床面に設置される本体部２と本体部２の上面を覆う蓋部１０とを備えている。本体部２は外装を形成する外箱３を有し、外箱３の底面にはキャスター１７、１８（図２参照）が設けられる。外箱３の前面上部にはハンドル１６が設けられ、ハンドル１６を把持してゴミ収容器１を床面上で移動させることができる。
【００２４】
蓋部１０は外箱３の後端で枢支され、外箱３の上面の開口部３ａ（図２参照）を開閉する。蓋部１０の上面前部には蓋部１０を開く開ボタン１１が設けられる。
【００２５】
図２はゴミ収容器１の側面断面図を示している。また、図３は蓋部１０を下方から見た斜視図を示し、図４は本体部２を上方から見た斜視図を示している。外箱３は水平断面形状が略矩形に形成され、前方が下がる傾斜面から成る上面に開口部３ａを開口する。外箱３の底部には機械室５が設けられ、機械室５の上方に仕切壁９を介して収納部４が設けられる。仕切壁９を含む収納部４の壁面は発泡ウレタン等の断熱材を充填して形成される。
【００２６】
上面を開口した収納部４内には開口部３ａを介して出し入れされる内ケース４０が配される。収納部４及び内ケース４０は左右方向よりも前後方向が長い略矩形の水平断面形状を有している。
【００２７】
外箱３の後端にはヒンジ部１２によって蓋部１０が枢支される。ヒンジ部１２には蓋部１０を開く方向に付勢する捻りバネから成る付勢部１３が設けられる。蓋部１０には前部の下面に係止爪３１が突出し、外箱３の上面前部には係止爪３１が係合する孔部３２が設けられる。係止爪３１が孔部３２に係合して蓋部１０が閉じられ、開ボタン１１の押下により係止爪３１と孔部３２との係合を解除して蓋部１０が開かれる。外箱３には蓋部１０が開いた際に当接して回動範囲を規制するストッパ１４が設けられる。
【００２８】
また、開口部３ａの周囲及び開口部３ａの周囲に対向する蓋部１０の少なくとも一方には外箱３と蓋部１０との隙間を塞ぐ環状のパッキンが設けられている。これにより、外箱３と蓋部１０との隙間からの臭気成分の流出を防止することができる。
【００２９】
機械室５の底板５ａ上には冷凍サイクルを運転する圧縮機７が支持板７ａを介して取り付けられる。圧縮機７には冷媒管から成る冷却器８が接続される。冷却器８は蛇行により収納部４の前壁及び両側壁内に配される。圧縮機７により冷凍サイクルが運転されると、冷却器８によって収納部４内が冷蔵温度（０℃〜１０℃）に冷却される（本実施形態では３℃）。収納部４内を氷点よりも高温の冷蔵温度に冷却することにより、結露水の凍結による蓋部１０の固着や後述する内ケース４０の固着を防止することができる。尚、冷却器８に替えてフィンチューブ型の冷却器を後述する循環ダクト２０の背壁部２２内に配してもよい。
【００３０】
仕切壁９内には収納部４と外箱３の外部とを連通させるドレンパイプ３３が設けられる。収納部４の冷却により収納部４内に発生する結露水はドレンパイプ３３を介して排水される。尚、機械室５内に結露水の受け皿を設け、ドレンパイプ３３により収納部４と受け皿上とを連通させてもよい。また、ドレンパイプ３３を省いた構成にしてもよい。
【００３１】
収納部４及び蓋部１０には収納部４内の空気を循環させる循環ダクト２０が設けられる。循環ダクト２０は蓋部１０に配される天井部２１と、収納部４の背壁４ａ上に配される背壁部２２とを有している。背壁部２２上には収納部４内の温度を検知する温度センサ３６が設けられる。温度センサ３６の検知結果に基づいて圧縮機７をオンオフし、収納部４内が所定温度に維持される。
【００３２】
図５は背壁部２２を後方から見た斜視図を示している。図２〜図５において、循環ダクト２０の天井部２１の前部には吸込口２１ａが開口する。天井部２１の後部には連通口２１ｂが開口する。
【００３３】
背壁部２２の上部前面には左方に偏った位置に吹出口２２ａが開口する。背壁部２２の上面には連通口２１ｂに対向する連通口２２ｂが開口する。吹出口２２ａは内ケース４０（図２参照）の上端よりも上方に配される。
【００３４】
背壁部２２内には遠心ファンから成る送風機２５が配される。背壁部２２の下部は前方に突出し、送風機２５の前方に面した吸気口に気流を導く。天井部２１及び背壁部２２には連通口２１ｂ、２２ｂを介して吸込口２１ａと送風機２５の吸気口とを連通させる吸気路２４ａが形成される。また、背壁部２２には送風機２５の排気口と吹出口２２ａとを連通させる排気路２４ｂが形成される。
【００３５】
排気路２４ｂの側壁上にはイオンを放出するイオン発生装置２６が配される。イオン発生装置２６は放電電極（不図示）を有し、放電電極に交流波形またはインパルス波形から成る高電圧を印加してコロナ放電させることでイオンやオゾンを発生する。イオン発生装置２６により発生するイオンは脱臭、除菌の効果があるものが好ましく、例えば、マイナスイオンや、プラスイオンとマイナスイオンの対などが好ましい。
【００３６】
イオン発生装置２６と吹出口２２ａとの間には脱臭触媒２７が配される。脱臭触媒２７は二酸化マンガンやゼオライト等の吸着剤をハニカム状の基材に担持して形成され、臭気成分の化学吸着や物理吸着によって循環ダクト２０内の気流を脱臭する。これにより、収納部４内の脱臭効果をより向上することができる。従って、イオン発生装置２６及び脱臭触媒２７は収納部４内を脱臭する脱臭装置を構成する。
【００３７】
イオン発生装置２６を脱臭触媒２７の上流に配置することで、脱臭触媒２７に吸着した臭気成分をイオンが分解し、脱臭触媒２７の性能を長期に亘って維持させることができる。尚、脱臭触媒２７をイオン発生装置２６の上流に配置してもよい。この場合は、吹出口２２ａから収納部４に直接イオンやオゾンを放出することができる。
【００３８】
図６は内ケース４０の斜視図を示している。内ケース４０は上面を開口した有底筒状の容器部４１と、容器部４１に軸支される取っ手４７とを有している。容器部４１の横幅×奥行×高さは約２２０ｍｍ×約２８０ｍｍ×約３４０ｍｍに形成される。これにより、容器部４１の内容量が約２０Ｌになっている。
【００３９】
容器部４１内に廃棄物が投入されるゴミ袋を設け、開口部３ａを介してゴミ袋を出し入れてもよい。この時、２０Ｌサイズや３０Ｌサイズのゴミ袋を指定する自治体が多い。内ケース４０の容器部４１の内容量を約２０Ｌとすることで、２０Ｌサイズのゴミ袋をそのまま内ケース４０に装着しても無駄なく使用することができる。また、３０Ｌサイズのゴミ袋を内ケース４０に装着した場合には内ケース４０の上面の開口部でゴミ袋を折り曲げる折り代を有することができ、ゴミ袋に収容した廃棄物に触れずにゴミ袋を内ケース４０から取り出すことが容易となる。
【００４０】
また、内ケース４０の内容量を約２０Ｌとすると、要介護者が利用する大人用の紙おむつを１人１日当たり４枚として４日分（重量約８ｋｇ）を収容することができる。このため、可燃性ゴミの回収日が一週間当たり２回とすると、回収日まで紙おむつを内ケース４０内に保管することができる。
【００４１】
容器部４１の上端部には水平方向に突出した環状の鍔部４２が設けられる。鍔部４２上には周部から上方に突出する補強部４３が設けられる。内ケース４０は詳細を後述するように収納時に鍔部４２により支持される。このため、補強部４３を設けることにより鍔部４２を補強し、廃棄物の収容により重量の大きい内ケース４０の変形を防止することができる。
【００４２】
取っ手４７は一対設けられ、各取っ手４７は一対の脚部４７ｂと、脚部４７ｂ間を連結する把持部４７ｃとを有している。脚部４７ｂは内ケース４０の上端部に設けられる補強部４３の内面にそれぞれ軸部４７ａにより軸支される。軸部４７ａにより形成される取っ手４７の回転軸は内ケース４０の水平断面の長手方向である前後方向に平行に配される。
【００４３】
一対の取っ手４７は鍔部４２に対して起立する把持位置（図６参照）と、把持位置から互いに左右の反対方向に回動して補強部４３の内側で鍔部４２上に配される収納位置（図７参照）との間を回動する。図８に示すように、把持位置に配した取っ手４７の把持部４７ｃを把持して内ケース４０が収納部４に対して出し入れされる。
【００４４】
取っ手４７の回転軸を内ケース４０の長手方向に平行に形成するので、脚部４７ｂを短く形成することができ、把持位置の把持部４７ｃを低く配置できる。従って、把持部４７ｃを高い位置まで持ち上げなくとも収納部４から内ケース４０を容易に取り出すことができる。
【００４５】
また、把持部４７ｃの中央部には収納位置で鍔部４２に面した凹部４７ｄが形成される。把持位置に配された一対の取っ手４７は凹部４７ｄで把持される。この時、後述するように収納位置で把持部４７ｃが補強部４３よりも上方に突出するため、把持位置では左右に並ぶ一対の把持部４７ｃの横幅が大きくなる。このため、凹部４７ｄによって把持部４７ｃの中央部の横幅を狭く形成し、手の小さい使用者でも容易に取っ手４７を把持することができる。
【００４６】
図９は収納部４に収納された内ケース４０の上部を示す側面断面図である。収納部４の上端には開口部３ａを拡げる環状の段差部４ｃが形成される。内ケース４０は収納部４に収納した際に、収納部４の底面４ｂ（図２参照）から離れた状態で鍔部４２が段差部４ｃ上に載置される。
【００４７】
これにより、収納部４の内壁と内ケース４０との間の空間部３５が外気と隔絶される。このため、空間部３５への外気流入が抑制され、空間部３５内の結露水の発生が低減される。また、もしも空間部３５内に結露水が溜まっても内ケース４０の下面は収納部４の底面４ｂから離れた状態であるので、内ケース４０の下面に対する結露水の付着が防止される。尚、段差部４ｃの上面または鍔部４２の下面に環状のパッキンを設けてもよい。これにより、空間部３５内をより確実に外気と隔絶することができる。
【００４８】
収納位置の取っ手４７の把持部４７ｃは補強部４３よりも上方に突出する。また、取っ手４７の把持部４７ｃには収納位置で補強部４３よりも上方から水平方向に突出する突起部４７ｅが設けられる。
【００４９】
収納位置に配された取っ手４７は補強部４３よりも上方の把持部４７ｃを摘持して起立させることができる。また、収納位置で水平方向に突出する突起部４７ｅや鍔部４２に面した凹部４７ｄに手指を掛けて取っ手４７をより簡単に起立させることができる。
【００５０】
上記構成のゴミ収容器１において、開ボタン１１の押下により蓋部１０が開き、内ケース４０内または内ケース４０に配したゴミ袋内に廃棄物を投入して蓋部１０が閉じられる。圧縮機７の駆動によって冷凍サイクルが運転され、収納部４内が冷蔵温度に冷却される。これにより、廃棄物からの臭気成分を含む水分の蒸散が抑制される。
【００５１】
また、送風機２５及びイオン発生装置２６の駆動により収納部４内の空気は吸込口２１ａを介して循環ダクト２０の吸気路２４ａに流入する。吸気路２４ａに流入した空気は天井部２１から連通口２１ｂ、２２ｂを介して背壁部２２に設けた送風機２５に導かれる。
【００５２】
送風機２５から排気された空気は排気路２４ｂを流通し、イオン発生装置２６により発生したイオンやオゾンによって殺菌及び脱臭が行われる。また、排気路２４ｂを流通する空気は脱臭触媒２７を通過し、更に脱臭が行われる。また、イオン発生装置２６により発生したイオンは脱臭触媒２７に吸着した臭気成分を分解する。
【００５３】
脱臭触媒２７を通過した空気は吹出口２２ａから収納部４内に送出される。吹出口２２ａから送出された空気に含まれるイオンは収納部４内に拡散され、収納部４内の殺菌及び脱臭が行われる。
【００５４】
また、背壁部２２の吹出口２２ａから収納部４内に送出された空気は蓋部１０と内ケース４０との間の空間部３４を通って前方の吸込口２１ａに導かれる。これにより、内ケース４０の上方の空間部３４にエアカーテンが形成され、外箱３と蓋部１０との隙間からの臭気成分の流出をより確実に防止することができる。
【００５５】
この時、本体部２の外箱３の上面を前方が下がる傾斜面に形成するため、エアカーテンの形成領域を確保するとともに開口部３ａの前端の高さを低くすることができる。このため、廃棄物の収容により重量の大きい内ケース４０やゴミ袋を開口部３ａよりも上方に容易に持ち上げることができる。これにより、腕力の弱い女性や高齢者の使用者でも容易に内ケース４０やゴミ袋を取り出して廃棄物を廃棄することができる。
【００５６】
本実施形態によると、収納部４の底面４ａから内ケース４０が離れた状態で内ケース４０の上端部に設けた環状の鍔部４２が収納部４の上端に設けた環状の段差部４ｃ上に載置される。これにより、収納部４の内壁と内ケース４０との間の空間部３５内が内ケース４０により外気と隔絶され、空間部３５への外気流入を抑制して収納部４内の結露水の発生が低減される。また、空間部３５に結露水が溜まっても内ケース４０の下面に対する結露水の付着が防止される。従って、内ケース４０を取り出した際に結露水が室内に滴下することを防ぎ、ゴミ収容器１を衛生的に使用できるとともにゴミ収容器１の利便性を向上することができる。
【００５７】
また、段差部４ｃの上面または鍔部４２の下面に環状のパッキンを設けると、収納部４内をより確実に密閉することができる。
【００５８】
また、内ケース４０が鍔部４２の周部から上方に突出する補強部４３を有し、取っ手４７が補強部４３の内側で鍔部４２上に配される収納位置と鍔部４２に対して起立する把持位置との間を回動する。このため、補強部４３により鍔部４２を補強し、鍔部４２により支持される内ケース４０の変形を防止することができる。また、収納位置の取っ手４７が鍔部４２上に配されるため内ケース４０の上面開口部が狭くならず、廃棄物を容易に投入することができる。
【００５９】
また、取っ手４７が収納位置で補強部４３よりも上方に突出するので、補強部４３よりも上方を摘持して容易に取っ手４７を起立させることができる。
【００６０】
また、取っ手４７が収納位置で補強部４３よりも上方から水平方向に突出する突起部４７ｅを有する。これにより、突起部４７ｅに手指を掛けてより容易に取っ手４７を起立させることができる。
【００６１】
また、内ケース４９の水平断面が略矩形に形成され、取っ手４７の回動軸が内ケース４０の水平断面の長手方向に平行に形成される。これにより、把持位置の取っ手４７の把持部４７ｃを低く配置できる。従って、収納部４から内ケース４０を容易に取り出すことができる。
【００６２】
また、取っ手４７の把持部４７ｃが収納位置で鍔部４２に面した凹部４７ｄを有する。これにより、凹部４７ｄに手指を掛けてより容易に取っ手４７を起立させることができる。
【００６３】
また、一対の取っ手４７が把持位置で一体に把持され、相互に反対方向に回動して収納位置に配される。これにより、一対の取っ手４７を把持した際に内ケース４０が離れた２つの回動軸（軸部４７ａ）で支持される。従って、内ケース４０の揺動を抑制して容易に搬送することができる。また、収納位置で補強部４３よりも上方に突出する把持部４７ｃの幅を凹部４７ｄにより狭く形成し、手の小さい使用者でも容易に取っ手４７を把持することができる。
【００６４】
また、本体部２の上面は前方が下がる傾斜面に形成され、天井部２１の前部の吸込口２１ａ及び背壁部２２の上部の吹出口２２ａにより内ケース４０の上方にエアカーテンが形成される。これにより、臭気成分の流出を防止できるとともに、開口部３ａの前端を低く形成して内ケース４０を開口部３ａから容易に取り出すことができる。尚、吸込口２１ａを背壁部２２の上部に設けるとともに吹出口２２ａを天井部２１の前部に設け、内ケース４０の上方にエアカーテンを形成してもよい。
【００６５】
また、冷却器８により収納部４内が氷点よりも高温の冷蔵温度に冷却されるので、結露水の凍結による蓋部１０の固着や内ケース４０の固着を防止することができる。
【００６６】
また、循環ダクト２０内にイオン及びオゾンを放出するイオン発生装置２６により脱臭を行う脱臭装置を設けたので、収納部４内の殺菌及び脱臭を容易に行うことができる。
【００６７】
＜第２実施形態＞
次に、図１０は第２実施形態のゴミ収容器１の収納部４に収納した内ケース４０の上部を示す側面断面図である。説明の便宜上、前述の図１〜図９に示す第１実施形態と同様の部分には同一の符号を付している。本実施形態は第１実施形態に対して取っ手４７の取り付け位置が異なっている。その他の部分は第１実施形態と同様である。
【００６８】
容器部４１の上端部には水平方向に突出した環状の鍔部４２が設けられる。鍔部４２は容器部４１の上端に対して下方に所定量離れて設けられ、容器部４１は鍔部４２の内端から上方に延びる延設部４１ａを有する。鍔部４２上には周部から上方に突出する補強部４３が設けられる。
【００６９】
取っ手４７は一対設けられ、取っ手４７の脚部４７ｂは軸部４７ａ（図１参照）によって延設部４１ａの外面及び補強部４３の内面の少なくとも一方に軸支される。軸部４７ａにより形成される取っ手４７の回転軸は内ケース４０の水平断面の長手方向である前後方向に平行に配される。取っ手４７の把持部４７ｃの中央部には収納位置で鍔部４２に面した凹部４７ｄが形成される。収納位置の取っ手４７の把持部４７ｃは補強部４３よりも上方に突出し、把持部４７ｃには突起部４７ｅが設けられる。
【００７０】
本実施形態によると、第１実施形態と同様に、収納部４内の結露水の発生を低減するとともに、内ケース４０の下面に対する結露水の付着が防止される。従って、ゴミ収容器１を衛生的に使用できるとともにゴミ収容器１の利便性を向上することができる。
【００７１】
また、内ケース４０の容器部４１の上端よりも下方に鍔部４２が設けられ、鍔部４２の周縁から立設する補強部４３と鍔部４２の内端から上方に延びる延設部４１ａとを有する。このため、内ケース４０の鍔部４２よりも上方の外壁が二重に形成され、内ケース４０の強度をより向上することができる。また、収納位置の取っ手４７が内ケース４０の内部に臨まないため容器部４１の上端部の内面を延設部４１ａにより平坦面に形成することができる。これにより、廃棄物の出し入れやゴミ袋の脱着をより容易に行うことができる。
【００７２】
本実施形態において、補強部４３を省いて鍔部４２の内端から上方に延びる延設部４１ａのみを設けてもよい。この時、取っ手４７の脚部４７ｂは軸部４７ａによって延設部４１ａの外面に軸支される。この場合であっても、容器部４１の上端部の内面を延設部４１ａにより平坦面に形成することができる。これにより、廃棄物の出し入れやゴミ袋の脱着をより容易に行うことができる。また、補強部４３がない場合は、使用者が把持部４７ｃの突起部４７ｅに手指などをより容易に掛けることができ、ゴミ収容器１の利便性を向上することができる。
【００７３】
＜第３実施形態＞
次に、図１１は第３実施形態のゴミ収容器１の内ケース４０の斜視図を示している。説明の便宜上、前述の図１〜図９に示す第１実施形態と同様の部分には同一の符号を付している。本実施形態は内ケース４０が補強部４３に軸支される１本の取っ手４７を有している。その他の部分は第１実施形態と同様である。
【００７４】
本実施形態によると、内ケース４０の搬送時の揺動が第１実施形態よりも大きくなるが、第１実施形態と同様に収納部４の内壁と内ケース４０との間の空間部３５の結露水の発生を低減するとともに、内ケース４０の下面に対する結露水の付着が防止される。従って、ゴミ収容器１を衛生的に使用できるとともにゴミ収容器１の利便性を向上することができる。尚、第２実施形態と同様に、内ケース４０の容器部４１に延設部４１ａ（図１０参照）を設け、延設部４１ａまたは補強部４３に取っ手４７を軸支してもよい。
【００７５】
第１〜第３実施形態において、収納部４内に生ゴミや衛生ゴミを収容しているが、冷却および除菌によって長期保存が可能となる物品等の内容物を収容してもよい。
【産業上の利用可能性】
【００７６】
本発明によると、臭いを発生する内容物を収容するゴミ収容器に利用することができる。一例として、紙おむつを利用する要介護者が居住する自宅や施設の居室内に設置されるゴミ収容器に利用することができる。
【符号の説明】
【００７７】
１    ゴミ収容器
２    本体部
３    外箱
４    収納部
５    機械室
７    圧縮機
８    冷却器
９    仕切壁
１０    蓋部
１１    開ボタン
１２    ヒンジ部
１３    付勢部
１４    ストッパ
１５    表示パネル
１６    ハンドル
１７、１８  キャスター
２０    循環ダクト
２１    天井部
２１ａ  吸込口
２１ｂ、２２ｂ  連通口
２２    背壁部
２２ａ  吹出口
２４ａ  吸気路
２４ｂ  排気路
２５    送風機
２６    イオン発生装置
２７    脱臭触媒
３４、３５  空間部
３６    温度センサ
４０    内ケース
４１    容器部
４２    鍔部
４３    補強部
４７    取っ手
４７ａ  軸部
４７ｂ  脚部
４７ｃ  把持部
４７ｄ  凹部
４７ｅ  突起部
【図１】
0006420069.tif 000002
【図２】
0006420069.tif 000003
【図３】
0006420069.tif 000004
【図４】
0006420069.tif 000005
【図５】
0006420069.tif 000006
【図６】
0006420069.tif 000007
【図７】
0006420069.tif 000008
【図８】
0006420069.tif 000009
【図９】
0006420069.tif 000010
【図１０】
0006420069.tif 000011
【図１１】
0006420069.tif 000012